(57)【要約】【課題】  扉を開放させたときに本体の前方に大きなスペースを占めることがないばかりでなく、その扉の開放状態の安定性が良く、更に、２枚の扉を別々に、しかも順を追って操作するような面倒もなく開閉操作できるようにすると共に、２枚の扉の開閉の順序が明確になされるようにする。【解決手段】  本体２１に第１の扉２２と第２の扉２３とを取付けて、その両方で本体２１の開口部を閉鎖するようにすると共に、連動機構５４により、第１の扉２１の開閉動に第２の扉２２を連動させて該第２の扉２３を開閉させるようにした。又、連動機構５４には時間差伝動手段を設けることにより、第１の扉２２と第２の扉２３との間の伝動が時間差をもって行われ、両扉２２，２３の開閉の順序が明確になされるようにした。【選択図】  図１
2004202269.tif 000002
【特許請求の範囲】
【請求項１】
洗浄室を有すると共に、この洗浄室に対して食器を出し入れするための開口部を有し、且つその洗浄室に収容された食器を洗浄する洗浄機構を有する本体と、
この本体に第１と第２とに分けてそれぞれ開閉動可能に取付けられ、その両方にて前記開口部を閉鎖する扉と、
この両扉のうちの第１の扉の開閉動に第２の扉を連動させて該第２の扉を開閉させる連動機構とを具備し、
その連動機構が、前記第１の扉と第２の扉との間の伝動を時間差をもって行わしめる時間差伝動手段を有することを特徴とする食器洗浄機。
【請求項２】
時間差伝動手段が、第１の扉の開放に対し、第２の扉の開放を遅らせるようになっていることを特徴とする請求項１記載の食器洗浄機。
【請求項３】
時間差伝動手段が、第１の扉の閉鎖に対し、第２の扉の閉鎖を早めるようになっていることを特徴とする請求項１記載の食器洗浄機。
【請求項４】
時間差伝動手段が、連動機構の連結部分に設けられた被係合部と、それに対し長さに余裕のある係合部との係合によるものであることを特徴とする請求項１記載の食器洗浄機。
【発明の詳細な説明】
【技術分野】
【０００１】
本発明は、複数の扉を有する食器洗浄機に関する。
【背景技術】
【０００２】
従来、食器洗浄機においては、図２５に示すように、本体１の前面部に、扉２が１枚で開閉可能に設けられたものが一般的に供されていた。しかしながら、このものは、扉２を開放させたときに、扉２が本体１の前方のスペースを大きく占めるため、広い設置スペースを必要とし、図２６に示すキッチンキャビネット３上のシンク４脇の端部など、狭いスペースに設置した場合には、開放させた扉２が、シンク４に給水するための水道コック５に当たってしまうというような問題を呈していた。
【０００３】
これに対して、図２７に示すように、扉が２枚に分けて設けられたものも供されている。このものの場合、扉は下扉１１と上扉１２とに分けられており、そして更に、それらが図２８に示すように上方に折り畳まれて開放されるものと、図２９に示すように下方と上方とにそれぞれ分かれて回動されて開放されるものとが供されている。
【発明の開示】
【発明が解決しようとする課題】
【０００４】
上述の、扉が下扉１１と上扉１２の２枚で構成されたものは、それらを開放させたときに、本体１の前方に１枚扉２のような大きなスペースを占めることはない。
しかしながら、そのうち、下扉１１と上扉１２とが上方に折り畳まれて開放されるものでは、上扉１２に対して折り畳まれた下扉１１がぐらついて開放状態の安定性に欠けるという問題点を有していた。
【０００５】
一方、下扉１１と上扉１２とが下方と上方とにそれぞれ分かれて回動されて開閉されるものでは、下扉１１と上扉１２とを別々に開閉操作する必要があり、しかも、その場合、下扉１１に設けられたフック１３により、該下扉１１が閉鎖状態に保持（ロック）されると共に、上扉１２も閉鎖状態に保持されるようになっているため、上扉１２を開放させるには、先にフック１３を外して下扉１１を開放させる必要があり、すなわち、下扉１１を開放させてから次に上扉１２を開放させるという順序を経る必要があって、操作が実に面倒であるという欠点を有していた。
【０００６】
本発明は上述の事情に鑑みてなされたものであり、従ってその目的は、従ってその目的は、主として、扉を開放させたときに本体の前方に大きなスペースを占めることがないばかりでなく、その扉の開放状態の安定性が良く、更に、２枚の扉を別々に、しかも順を追って操作するような面倒もなく開閉操作できる食器洗浄機を提供するにある。
【課題を解決するための手段】
【０００７】
上記目的を達成するために、本発明の食器洗浄機においては、洗浄室を有すると共に、この洗浄室に対して食器を出し入れするための開口部を有し、且つその洗浄室に収容された食器を洗浄する洗浄機構を有する本体と、この本体に第１と第２とに分けてそれぞれ開閉動可能に取付けられ、その両方にて前記開口部を閉鎖する扉と、この両扉のうちの第１の扉の開閉動に第２の扉を連動させて該第２の扉を開閉させる連動機構とを具備し、その連動機構が、前記第１の扉と第２の扉との間の伝動を時間差をもって行わしめる時間差伝動手段を有することを特徴とする。
【発明の効果】
【０００８】
上記手段によれば、扉が第１の扉と第２の扉の２枚で構成されるため、それらを開放させたときに、本体の前方に１枚扉のような大きなスペースを占めることがない。又、それら第１及び第２の扉は、ともに本体に取付けられているため、開放状態でもともに本体に支持され、安定性を良くできる。そして、連動機構により、第１の扉の開閉に第２の扉を連動させて該第２の扉を開閉させるため、その開閉操作は第１の扉に対してのみ行えば良く、２枚の扉を別々に、しかも順を追って操作する面倒をなくし得る。更に、連動機構における時間差伝動手段により、第１の扉から第２の扉への伝動が時間差をもって行われることによって、両扉の開閉の順序が明確になされる。
【発明を実施するための最良の形態】
【０００９】
以下、本発明の基本構成につき、図１ないし図７を参照して説明する。
まず、図２には、食器洗浄機の本体２１と、これの前面部に設けた第１の扉２２、第２の扉２３、及び操作パネル２４を示している。
このうち、本体２１は、外箱２５を外殻とし、これの内部に図３に示す内箱２６を配設して、該内箱２６の内部を洗浄室２７としている。この洗浄室２７は前面が開口しており、その開口部２８を前記第１の扉２２及び第２の扉２３の両方で閉鎖するようにしている。
【００１０】
洗浄室２７内には、底部に例えばシーズ線から成るヒータ２９を配設しており、これの上方に、噴射体としての噴水アーム３０を、パイプ状のアーム支え３１により回転可能に接続支持して配設している。更に、洗浄室２７内の噴水アーム３０より上方の部分には、食器かご３２を配設している。この食器かご３２は、底部の左右両側にそり３３を有しており、このそり３３が洗浄室２７内両側のレール３４上を摺動する引出し方式にて、開口部２８から出し入れされるようにしている。又、この食器かご３２は洗浄すべき食器（図示せず）を配列するものであり、従って、その食器は該食器かご３２と共に開口部２８から洗浄室２７に対して出し入れされるようになっている。
【００１１】
洗浄室２７の背部（内箱２６の背部）には給水弁３５を取付けており、この給水弁３５には図示しない水道に通じる給水管３６を接続している。従って、洗浄室２７内には、水道水が洗浄水として給水管３６から給水弁３５を通じて供給されるようになっている。
洗浄室２７の外下部（内箱２６の外下部）には、洗浄ポンプ３７と、排水ポンプ３８、及びこれらを駆動する共通のポンプモータ３９を配設している。ポンプモータ３９は、例えば時計回りの正転及び反時計回りの逆転の両方向に回転可能で、その正転により洗浄ポンプ３７を駆動し（このとき、排水ポンプ３８は機能しない）、逆転によって排水ポンプ３８を駆動する（このとき、洗浄ポンプ３７は機能しない）ものである。
【００１２】
このほか、洗浄室２７の外下部には、洗浄室２７内と連通する貯水タンク４０を設けると共に、この貯水タンク４０と洗浄ポンプ３７の吸込口とを接続する接続管４１、及び貯水タンク４０と排水ポンプ３８の吸込口とを接続する接続管４２を設けている。又、洗浄ポンプ３７の吐出口は前記アーム支え３１に接続し、ひいては該アーム支え３１が連通した噴水アーム３０に接続しており、排水ポンプ３８の吐出口には排水ホース４３を接続している。
【００１３】
この構成で、洗浄ポンプ３７は、前記給水弁３５により供給されて貯水タンク４０内から洗浄室２７内の下部に貯留された洗浄水を、貯水タンク４０内から接続管４１を通じて吸入し、アーム支え３１を通じて噴水アーム３０に圧送する。この圧送された洗浄水は、噴水アーム３０が上部に有する複数の噴水口３０ａから噴出されるものであり、その噴水の反動によって噴水アーム３０は回転もする。
【００１４】
かくして、洗浄水が、洗浄室２７内に食器かご３２内を介して収容配置された食器に向けて満遍なく噴射され、該食器の洗浄、すすぎが行われる。従って、洗浄ポンプ３７と噴水アーム３０は、洗浄室２７内に収容された食器を洗浄する洗浄機構４４を構成するものである。
一方、排水ポンプ３８は、洗浄室２７内の洗浄水を、貯水タンク４０内から接続管４２を通じて吸入し、そして、排水ホース４３を通じて機外に排出するようになっている。
【００１５】
なお、洗浄室２７の背部には送風装置４５を設けており、この送風装置４５は、外気を吸入し、それをダクト４６を通じて洗浄室２７の下部から内部に送り込むようになっている。又、洗浄室２７の背部の下部には水位検知装置４７を設けており、この水位検知装置４７は、図示しない接続管により貯水タンク４０内と連通し、ひいてはその貯水タンク４０が連通した洗浄室２７内と連通していて、洗浄室２７内の前記洗浄水の水位を検知するようになっている。
【００１６】
なお、前記操作パネル２４は、以上の本体２１における動作について使用者が必要な操作をするためのもので、外箱２１前面の開口部２８下方の部分に装着しており、図２に示すように各種操作キー４８を有している。又、この操作パネル２４の裏側には、図３に示すように、例えばマイクロコンピュータから成る制御装置４９を配設しており、この制御装置４９によって、上記操作パネル２４の操作に基づく本体２１の動作を制御するようにしている。
【００１７】
さて、以上のような本体２１に対して、第１の扉２２及び第２の扉２３は、この場合、上下に分けていて、第１の扉２２を下側（下扉）とし、第２の扉２３を上側（上扉）としている。
そのうち、第１の扉２２は、図４に示すように、下辺部の左右両端部をそれぞれ軸５０（一方のみ図示）によって本体２１に上下に回動可能に取付けており、この構成で、該第１の扉２２は、軸５０を中心に下方へ回動して開放されるようになっている（図１参照）。従って、この場合、第１の扉２２の軸５０を中心とした回動は、該第１の扉２２の開閉動である。
【００１８】
一方、第２の扉２３は、上辺部の左右両端部をそれぞれ軸５１（これも一方のみ図示）によって扉支持板５２に同じく上下に回動可能に取付けており、この構成で、該第２の扉２３は、軸５１を中心に上方へ回動して開放されるようになっている（図１参照）。従って、この場合、第２の扉２３の軸５１を中心とした回動は、第２の扉２３の開閉動である。なお、扉支持板５２は本体２１の最上部にねじ５３によって取付け固定している。
【００１９】
そして、上記第１の扉２２と第２の扉２３との間、及び第２の扉２３の回動中心部には、連動機構５４を設けている。この連動機構５４は、詳細には、第１の扉２２の左右両側の回動中心部からそれぞれ裏側に突設した連結プレート５５  （一方のみ図示）の先端部と、第２の扉２３の左右両側の回動中心部寄りの部分からそれぞれ裏側に突設した連結プレート５６（これも一方のみ図示）の先端部とをつないだワイヤ、特にこの場合、鋼索から成るワイヤ本体５７ａと、これを摺動可能に被覆した外皮ケーブル５７ｂとから成るケーブルワイヤ５７と、第２の扉２３の回動中心である軸５１にそれぞれ巻装した捩りコイルばね５８とにより構成している。
【００２０】
しかして、ケーブルワイヤ５７は、外皮ケーブル５７ｂの両端部を、それぞれ止め具５９によって前記内箱２６の左右の両外側面に固定しており、ワイヤ本体５７ａの両端部を、上記連結プレート５５，５６の各先端部に連結している。又、そのうちの第２の扉２３の連結プレート５６の先端部とこの連結プレート５６側の外皮ケーブル５７ｂの上端部との間には、ワイヤ本体５７ａをガイドする滑車６０，６１を、内箱２６の左右の両外側面に取付けて設けており、更に、その滑車６０，６１間には、引張コイルばね６２で支えアーム６３ａごと下方へ付勢したテンションプーリ６３を、ワイヤ本体５７ａに上方より当接させて設けている。
【００２１】
一方、捩りコイルばね５８は、詳細には図５に示すように、一端部５８ａを扉支持板５２に掛け、他端部５８ｂを第２の扉２３の、軸５１より上方の部分に掛けている。この結果、第２の扉２３には、矢印Ａで示す開放方向の回動力が付与され、もって、捩りコイルばね５８が第２の扉２３を開放方向に付勢する付勢手段として機能するようにしている。
【００２２】
以上に対して、第１の扉２２の前面部の上辺部には、図２に示すように、開扉操作用の手掛部である横長状の取手６４を設けており、これに近い下方の中央部、すなわち、使用者が取手６４を持った片手で同時に操作し得る位置に、押ボタン６５を設けている。この押ボタン６５は、詳細には図６に示すように、上部を軸６６に取付けており、軸６６は中空状を成す第１の扉２２内で左右に延びる横軸状にて回転可能に支持し、その両端部にそれぞれフック６７を取付けている。このフック６７は、先端部に係合部である爪部６７ａを有しており、それより先方には下縁部に斜面部６７ｂを有し、更にそれより先方に段部６７ｃを有している。
【００２３】
しかして、フック６７の上記爪部６７ａ、斜面部６７ｂ及び段部６７ｃを形成した先端部は、第１の扉２２の後壁に形成した孔６８を上下動可能に貫通して後方に突出しており、第１の扉２２内に位置した該フック６７の中間部とその下方部に設けたばね掛け片６９との間には引張コイルばね７０を張設して、フック６７を下方に付勢している。
【００２４】
そして、フック６７に対応して内箱２６の左右の両外側面には、スイッチケース７１を配設している。このスイッチケース７１は、前面部に被係合部である孔７２を有し、この孔７２の下縁部にフック６７が爪部６７ａ（係合部）を係合させて、それを引張コイルばね７０の付勢力にて維持することにより、第１の扉２２を閉鎖状態に保持（ロック）するようにしている。
【００２５】
又、その第１の扉２２が閉鎖されて閉鎖状態に保持された状態では、図４に矢印Ｂで示すように、前記連動機構５４のケーブルワイヤ５７、特にそれのワイヤ本体５７ａが、第１の扉２２の連結プレート５５により下方へ引かれて、第２の扉２３の連結プレート５６を捩りコイルばね５８の付勢力に抗して引くことにより、第２の扉２３も閉鎖されて閉鎖状態に保持されるようになっている。従って、フック６７、引張コイルばね７０及びスイッチケース７１は、第１の扉２２を閉鎖状態に保持し、ひいては第２の扉２３を閉鎖状態に保持する保持手段（ロック手段）として機能するようになっている。
【００２６】
スイッチケース７１内には、中間部の支点７３ａを中心に揺動可能なアクチュエータ７３と、このアクチュエータ７３により操作されるスイッチ、特にはマイクロスイッチ７４とを配設している。ここで、上記第１の扉２２の閉鎖状態保持時には、アクチュエータ７３が、フック６７の前記段部６７ｃによって一端部を押し下げられ、他端部によってマイクロスイッチ７４の作動ボタン７４ａを押圧する。これにより、マイクロスイッチ７４が作動し、第１の扉２２の閉鎖及びその保持を検知するようになっている。
なお、図２に示すように、第２の扉２３の前面部の上部には、前記洗浄室２７内からの排気をするための排気口７５を設けている。
【００２７】
さて、上述のごとく構成したものの場合、第１の扉２２及び第２の扉２３が、今、図４に示す閉鎖保持状態にあるとして、この状態から使用者が取手６４を片手で持って、その指先で押ボタン６５を押圧操作すれば、軸６６を介してフック６７がそれに連動し、図６に詳細に示す状態から、該フック６７が引張コイルばね７０の付勢力に抗して上方へ回動する。これにより、フック６７の爪部６７ａがスイッチケース７１の孔７２から外れて第１の扉２２の閉鎖保持を解除する。
【００２８】
又、このとき、アクチュエータ７３がフック６７の段部６７ｃによる一端部の押し下げを解除されて、他端部によるマイクロスイッチ７４の作動ボタン７４ａの押圧を解除するから、マイクロスイッチ７４が非作動状態となり、第１の扉２２の閉鎖保持の解除及び開放を検知する。従って、アクチュエータ７３及びマイクロスイッチ７４は、第１の扉２２の開閉並びに閉鎖保持及びその保持の解除を検知する検知手段として機能するものである。
【００２９】
そして、その後、使用者が取手６４を持った手で第１の扉２２を開放操作すれば、図１に矢印Ｃで示すように、前記連結プレート５５による連動機構５４のケーブルワイヤ５７、特にそれのワイヤ本体５７ａの引張りが解除され、更に、そのワイヤ本体５７ａを介した第２の扉２３の連結プレート５６の引張りが解除されることにより、第２の扉２３が捩りコイルばね５８の付勢力によって開放される。
このとき、連動機構５４は、第１の扉２２の開放度に対して第２の扉２３の開放度を大きくし、具体的には、下側の第１の扉２２がほゞ水平となるまで（約９０度角）開放するのに対して、第２の扉２３をほゞ垂直となるまで（約１８０度角）開放させる。
【００３０】
しかして、その状態から、使用者が第１の扉２２を閉鎖操作すれば、前述の図４に矢印Ｂで示したごとく、連動機構５４のケーブルワイヤ５７、特にそれのワイヤ本体５７ａが、第１の扉２２の連結プレート５５により下方へ引かれて、第２の扉２３の連結プレート５６を捩りコイルばね５８の付勢力に抗して引くことにより、第２の扉２３も閉鎖される。
【００３１】
又、このとき、フック６７が爪部６７ａ（係合部）をスイッチケース７１の孔７２の下縁部に係合させて、それを引張コイルばね７０の付勢力にて維持されるようになることにより、第１の扉２２を閉鎖状態に保持し、ひいては第２の扉２３をも閉鎖状態に保持する。
更に、このとき、フック６７は、段部６７ｃによってアクチュエータ７３の一端部を押し下げ、この一端部を押し下げられたアクチュエータ７３は、他端部によってマイクロスイッチ７４の作動ボタン７４ａを押圧するから、マイクロスイッチ７４が作動し、第１の扉２２の閉鎖及びその保持、ひいては第２の扉２３の閉鎖及びその保持が検知される。
【００３２】
このように本構成のものでは、扉が第１の扉２２と第２の扉２３の２枚で構成されるものであり、それらを開放させたときに、本体２１の前方に従来の１枚扉のもののような大きなスペースを占めることがない。従って、図２６に示したキッチンキャビネット３上のシンク４脇の端部など、狭いスペースに設置した場合でも、開放させた両扉２２，２３が水道コック５に当たってしまうというような問題を生じることのないようにできる。
【００３３】
又、第１の扉２２と第２の扉２３は、ともに本体２１に取付けているため、開放状態でもともに本体２１に支持され、安定性を良くできる。
そして、連動機構５４により、第１の扉２２の開閉に第２の扉２３を連動させて該第２の扉２３を開閉させるため、その開閉操作は第１の扉２２に対してのみ行えば良く、従来の２枚の扉を別々に、しかも順を追って操作するもののような面倒をなくすことができる。
【００３４】
そのほか、特に本構成のものにおいては、連動機構５４を、両扉２２，２３をつなぐワイヤ、特にはケーブルワイヤ５７と、第２の扉２３を開放方向に付勢する付勢手段、特には捩りコイルばね５８とを有して成るものとしており、これによって、第１の扉２２を開放操作したとき、第２の扉２３が付勢手段（捩りコイルばね５８）の付勢力で開放されるため、扉に加える開放操作力が第１の扉２２に対してのみで良く、操作を軽くできる。
【００３５】
又、この場合、図７に示すように、食器洗浄機の設置場所の上方に吊戸棚など障害物Ｓがあって、これに、開放した第２の扉２３が当たることにより、該第２の扉２３が充分に開放することを阻止される状況でも、連動機構５４のワイヤ、特にはケーブルワイヤ５７のワイヤ本体５７ａが緩むことで、第１の扉２２の開放に支障を来さず、該第１の扉２２を充分に開放させることができるので、設置場所の制限をなくすことができる。
【００３６】
しかも、この場合、上記連動機構５４のワイヤ、特にはケーブルワイヤ５７のワイヤ本体５７ａに対しては、引張コイルばね６２で下方へ付勢されたテンションプーリ６３を設けており、これをワイヤ本体５７ａに上方より当接させているので、それによりワイヤ本体５７ａを押し下げて緊張させ、緩んだままになることのないようにできる。よって、そのワイヤ本体５７ａの緩みによる滑車６０，６１からの外れを防止できると共に、ワイヤ本体５７ａの、本体２１外前方に露出した部分の外観も良好に維持することができる。
【００３７】
更に、連動機構５４は、第１の扉２２の開放度に対し、第２の扉２３の開放度を大きく開放させるようにしており、これによって、開放度（開放角度）の大きい第２の扉２３側（上記基本構成では、上部）で食器の出し入れが容易にできる。
加えて、本体２１が開口部２８を前面部に有し、第１の扉２２と第２の扉２３が上下に分かれていて、その下側の第１の扉２２が下方へ回動して開放され、これに連動して上側の第２の扉２３が上方へ回動して開放されるようにしており、これによって、両扉２２，２３が開放時に従来の折り畳み式のもののように重なるということがないので、両扉２２，２３の開放が、両扉２２，２３の間に手を挟むようなことなくできる。
【００３８】
その上、本構成のものにおいては、下方へほゞ水平に回動させた第１の扉２２の上面に、食器かご３２を洗浄室２７内から引出して載せることができるので、食器かご３２に対する食器の出し入れが本体２１外前方の広いスペースで容易にできる。
又、第１の扉２２の閉鎖保持を解除する閉鎖保持解除手段である押ボタン６５を、使用者が取手６４を持った片手で同時に操作し得る位置に設けていることにより、操作性を良くすることができる。
【００３９】
以上に対して、図８ないし図２４は第１ないし第７参考例と、本発明の第１ないし第４実施例（第１ないし第４の実施形態）を示すもので、それぞれ、基本構成と同一の部分には同一の符号を付して説明を省略し、異なる部分についてのみ述べる。
［第１参考例］
図８に示す第１参考例においては、連動機構８１を、前述のケーブルワイヤ５７と捩りコイルばね５８とから成る連動機構５４に代えて、鋼索のみから成るワイヤ８２と捩りコイルばね５８とにより構成し、滑車８３，８４を加えて、これらと前述の滑車６０，６１とによりワイヤ８２をガイドするようにしている。
【００４０】
このようにしても、連動機構８１により、第１の扉２２の開閉に第２の扉２３を連動させて該第２の扉２３を開閉させることができ、且つ、吊戸棚などの障害物で第２の扉２３が充分に開放することを阻止される状況でも、連動機構８１のワイヤ８２が緩むことで、第１の扉２２を充分に開放させることができる。
【００４１】
［第２参考例］
図９に示す第２参考例においては、前述のケーブルワイヤ５７と捩りコイルばね５８にレバー９１を加えて連動機構９２を構成している。この連動機構９２において、レバー９１は、中間部を内箱２６の左右両外側面の下部に軸９３によって揺動可能に枢支しており、このレバー９１の後側の一端部に、ケーブルワイヤ５７のワイヤ本体５７ａの下端部を連結している。又、レバー９１の前側の他端部には係合部としてのピン９４を設け、これに対して、第１の扉２２の連結プレート５５には、先端部に被係合部としての切欠溝９５を設け、これらを係合させている。
【００４２】
従って、第１の扉２２の開閉に伴う動作は、この場合、連結プレート５５から切欠溝９５とピン９４との係合構造、及びレバー９１を介してケーブルワイヤ５７のワイヤ本体５７ａに伝えられる。又、ピン９４に対して切欠溝９５は引き抜きにより離脱が可能であり、すなわち、切欠溝９５とピン９４は係脱（係合と離脱）が可能で、係脱可能な連結手段として機能し、それにて連動機構９２と第１の扉２２とを連結している。
【００４３】
このものでは、連動機構９２と第１の扉２２とを連結する連結手段が係脱可能であるから、本体２１を連動機構９２を含んで組立てた後に、その連動機構９２に対して第１の扉２２を連結手段の係合により連結でき、その後の修理時等の第１の扉２２の取外し、取付けも連結手段の離脱、係合により容易にできる。
【００４４】
なお、この場合、ピン９４と切欠溝９５は、レバー９１と連結プレート５５とに上述とは逆の関係、すなわち、ピン９４を連結プレート５５に、切欠溝９５をレバー９１に設けても良い。更に、その係脱可能な連結手段は、連動機構９２と第１の扉２２との間に代えて、もしくはそれに加えて、連動機構９２と第２の扉２３との間に設けるようにしても良いものであり、すなわち、第１の扉２２及び第２の扉２３の少なくともいずれか一方と連動機構９２との連結が、係脱可能な連結手段にてなされていれば良い。
【００４５】
［第３参考例］
図１０に示す第３参考例においては、第２の扉２３の連結プレート５６に複数、この場合、３つのワイヤ取付部１０１，１０２，１０３を設けている。この複数のワイヤ取付部１０１〜１０３は、第２の扉２３からこれの閉鎖方向への距離が異なるものであり、順にその距離が小さくなっている。
【００４６】
しかして、このワイヤ取付部１０１〜１０３には、ワイヤ、特にはケーブルワイヤ５７のワイヤ本体５７ａの上端部を選択して取付けるものであり、このワイヤ取付部１０１〜１０３に対するワイヤの選択取付けによって第２の扉２３の開放度（開放角度）が変わる。詳細には、第２の扉２３からこれの閉鎖方向への距離が順次小さくなっているワイヤ取付部１０１，１０２，１０３の順に、ワイヤ本体５７ａの上端部を付け替えることにより、第２の扉２３の開放度が順次小さくなる。
【００４７】
このものでは、開放させた第２の扉２３の先端部側に前述の吊戸棚など障害物Ｓがあったとき、それに衝突しない度合（角度）を設定して、その度合で該第２の扉２３の開放を止めることができるので、使い勝手を良くすることができる。
【００４８】
［第４参考例］
図１１及び図１２に示す第４参考例においては、連動機構１１１を、前述のケーブルワイヤ５７と捩りコイルばね５８とから成る連動機構５４に代えて、複数、この場合、４つのリンク１１２，１１３，１１４，１１５から成るリンク列により構成している。
【００４９】
詳細には、図１１に示すように、第１のリンク１１２の中間部を、内箱２６の左右両外側方部の下部に立設した支柱部材１１６に軸１１７によって回動可能に枢支し、この第１のリンク１１２の前側の一端部を、第１の扉２２の連結プレート５５の先端部に長孔１１８とピン１１９とによって回動可能に連結している。第１のリンク１１２の後側の他端部には、第２のリンク１１３の下側の一端部を連結ピン１２０によって回動可能に連結し、該第２のリンク１１３の上側の他端部に、第３のリンク１１４の後側の一端部を連結ピン１２１によって回動可能に連結している。
【００５０】
第３のリンク１１４は、中間部を内箱２６の左右両外側面に固着した支持具１２２に軸１２３によって回動可能に枢支しており、この第３のリンク１１４の前側の他端部に、第４のリンク１１５の後側の一端部を連結ピン１２４によって回動可能に連結し、この第４のリンク１１５の前側の他端部を連結ピン１２５によって第２の扉２３に回動可能に連結している。
【００５１】
この構成で、第１の扉２２を開放させると、リンク１１２，１１３，１１４，１１５が、図１２に矢印Ｄで示すように回動又は移動して、第２の扉２３を開放させる。
又、その状態から、第１の扉２２を閉鎖させると、リンク１１２，１１３，１１４，１１５が、それぞれ上述とは逆の方向に回動又は移動して、第２の扉２３を閉鎖させる。
従って、このようにしても、連動機構１１１により、第１の扉２２の開閉に第２の扉２３を連動させて該第２の扉２３を開閉させることができる。
【００５２】
なお、この場合、詳しくは図示しないが、第１の扉２２の重量より第２の扉２３の重量を軽くしており、それによって、第１の扉２２の開放操作を第２の扉２３の重量に抗して行う度合を軽減し、該第１の扉２２の開放操作を容易ならしめ得る。又、第１の扉２２が第２の扉２３の重量によって閉鎖されやすくなることもないようにできる。
【００５３】
［第５参考例］
図１３に示す第５参考例においては、上記第４参考例のものの第２の扉２３の回動中心である軸５１の周りに前述の捩りコイルばね５８を設けて、第２の扉２３を開放方向（矢印Ａ）に付勢するようにしている。
このようにすることにより、第１の扉２２の開放操作を第２の扉２３の重量に抗して行う度合を更に軽減し、該第１の扉２２の開放操作を一層容易ならしめ得る。又、第１の扉２２が第２の扉２３の重量によって閉鎖されやすくなることも一層ないようにできる。
【００５４】
［第６参考例］
図１４及び図１５に示す第６参考例においては、第４参考例のものの第２の扉２３の内部に設けたばね掛け片１３１と扉支持板５２との間に、トグルばね１３２を架装している。このトグルばね１３２は、第２の扉２３の開閉の中間点を境に、閉鎖側では図１４に矢印Ｅで示すように第２の扉２３を閉鎖方向に付勢し、開放側では図１５に矢印Ｆで示すように第２の扉２３を開放方向に付勢するものであり、従って、トグルばね１３２は第２の扉２３を開放方向及び閉鎖方向の両方向に付勢する付勢手段として機能する。
【００５５】
このものでは、第１の扉２２を開放操作、閉鎖操作したとき、第２の扉２３が付勢手段の付勢力で開放、閉鎖されるため、第１の扉２２に加える開放及び閉鎖の操作をともに軽くでき、操作性を一層良くできる。
【００５６】
［第７参考例］
図１６及び図１７に示す第７参考例においては、連動機構１４１を、複数、この場合も、４つのリンク１１２，１４２，１１４，１４３から成るリンク列により構成している。
詳細には、図１６に示すように、第１のリンク１１２と第３のリンク１１４については、第４参考例で既述のごとくである。
【００５７】
第２のリンク１４２は、前述の第２のリンク１１３のようには屈曲することなく真直ぐの後傾状を成しており、その分、第３のリンク１１４を前述より後方に位置させている。そして、第２のリンク１４２の下側の一端部を、第１のリンク１１２の後側の他端部に連結ピン１２０によって回動可能に連結し、第２のリンク１４２の上側の他端部を、第３のリンク１１４の後側の一端部に連結ピン１２１によって回動可能に連結している。
【００５８】
又、第４のリンク１４３は、前述の第４のリンク１１５より後方に長く延びており、その後側の一端部に、第３のリンク１１４の前側の他端部を連結ピン１２４によって回動可能に連結し、第４のリンク１４３の前側の他端部を、第２の扉２３に連結ピン１２５によって回動可能に連結している。
この構成で、第１の扉２２を開放させると、リンク１１２，１４２，１１４，１４３が、図１７に矢印Ｇで示すように回動又は移動して、第２の扉２３を開放させる。
【００５９】
このとき、連動機構１４１は、第１の扉２２の開放度に対して第２の扉２３の開放度を大きくし、具体的には、下側の第１の扉２２がほゞ水平となるまで（約９０度角）開放するのに対して、第２の扉２３を斜め上向きとなるまで（約１２０度角）開放させる。これによって、開放度（開放角度）の大きい第２の扉２３側（これも、本参考例では、上部）で食器の出し入れが容易にできる。
なお、上述の状態から、第１の扉２２を閉鎖させると、リンク１１２，１４２，１１４，１４３が、それぞれ上述とは逆の方向に回動又は移動して、第２の扉２３を閉鎖させる。
【００６０】
［第１実施例］
図１８及び図１９に示す本発明の第１実施例においては、上述の連動機構１４１における第１のリンク１１２と第２リンク１４２との連結を、第１のリンク１１２側に上下に長く形成した係合部としての長孔１５１と、第２リンク１４２側に設けた被係合部としてのピン１５２との係合により行って、その間の伝動が、ピン１５２に対する長孔１５１の長さの余裕の分、時間差をもって行われるようにしており、従って、それらの長孔１５１とピン１５２は時間差伝動手段として機能するようになっている。
【００６１】
具体的には、このものの場合、第１及び第２の扉２２，２３が閉鎖保持状態にあるとき、長孔１５１はピン１５２をその長さ範囲の最下部に位置させている。この状態から、第１の扉２２を開放させると、第１のリンク１１２は後側の他端部が下降して、図１８及び図１９に示すように、長孔１５１の最上部にピン１５２を位置させるようになるが、この間、第２のリンク１４２には第１のリンク１１２の動作が伝わらない。
【００６２】
しかして、長孔１５１の最上部にピン１５２を位置させるようになってからは、第２のリンク１４２に第１のリンク１１２の動作が伝わり、該第２のリンク１４２が下降することによって、更にその動作が第３のリンク１１４、第４のリンク１４３へと伝わり、第２の扉２３が開放される。かくして、第１の扉２２の開放から遅れて第２の扉２３が開放される。
【００６３】
一方、上述の状態から第１の扉２２を閉鎖操作すると、第１のリンク１１２の後側の他端部が上昇することに伴って、第２のリンク１４２もピン１５２を長孔１５１の最上部に位置させたまま第２の扉２３の重量による上昇復帰を許容され、これによって第２の扉２３が閉鎖する。
しかし、その第２の扉２３が閉鎖した段階では、第２のリンク１４２はピン１５２を長孔１５１の最上部に位置させたままで、その後、長孔１５１が最下部にピン１５２を位置させるまで第１のリンク１１２の他端部が上昇することによって、第１の扉２３が閉鎖する。かくして、第２の扉２３の閉鎖から遅れて第１の扉２２が閉鎖される。
【００６４】
このものでは、扉の開閉の順序が、開放時には第１の扉２２が先で、第２の扉２３が後、閉鎖時には第２の扉２３が先で、第１の扉２２が後という形態で明確になすことができる。
なお、この場合、長孔１５１とピン１５２は、第１のリンク１１２と第２リンク１４２とに上述とは逆の関係に、すなわち、長孔１５１を第２リンク１４２に、ピン１５２を第１のリンク１１２に設けても良く、あるいは他のリンク間に設けても良い。
【００６５】
［第２実施例］
図２０ないし図２２に示す本発明の第２実施例においては、第１の扉２２を閉鎖状態に保持するためのフック６７を取手６４により操作するようにしている。
具体的には、図２１に示すように、フック６７を取付けた前述の軸６６の両端部の前側に、連結部材１６１を取付け、この連結部材１６１を、第１の扉２２前壁の膨らみ部２２ａに上下に寸法の余裕をもたせて形成した孔１６２を貫通させて前方に突出させ、そして、該連結部材１６１の突出部分に取手６４の両端ブラケット６４ａを取付けている。
【００６６】
この構成で、使用者が取手６４を持って図２２に示すように下方へ回動させると、取手６４の両端ブラケット６４ａから連結部材１６１及び軸６６を介してフック６７がそれに連動し、引張コイルばね７０の付勢力に抗して上方へ回動する。これにより、フック６７の爪部６７ａがスイッチケース７１の孔７２から外れて第１の扉２２の閉鎖保持を解除する。
【００６７】
そして、その後、使用者が取手６４を持った手でそのまま第１の扉２２を開放操作すれば、該第１の扉２２が開放され、それに連動して第２の扉２３が開放される。
又、使用者が取手６４から手を離せば、フック６７、軸６６、連結部材１６１、及び取手６４が、引張コイルばね７０の付勢力によって復帰する。
このものでは、閉鎖保持状態にある第１の扉２２を開放させるとき、取手６４を操作するだけで良く、前述の押ボタン６５を操作する必要がないので、操作性を良くすることができる。
【００６８】
［第３実施例］
図２３に示す本発明の第３実施例においては、上側の第２の扉２３の裏面に、該第２の扉２３を開放させたとき、その裏面に付着して流下する水滴を左右の両側方へガイドするガイド部材としてリブ１７１を設けている。
これにより、洗浄、そして乾燥が終了して引き出された食器を、第２の扉２３の裏面から滴下する水滴で濡らしてしまうことのないようにできる。
【００６９】
［第４実施例］
図２４に示す本発明の第４実施例においては、上側の第２の扉２３の裏面にサンドブラスト等の親水処理１８１を施している。
このものでは、第２の扉２３の裏面に付着した水滴が玉状にならず、該第２の扉２３を開放させたときに流下するということがなくなるので、上述同様、洗浄、そして乾燥が終了して引き出された食器を、第２の扉２３の裏面から滴下する水滴で濡らしてしまうことのないようにできる。
【００７０】
なお、以上の基本構成から全参考例及び全実施例を通じて、第１の扉２２は下側でなく上側に位置し、第２の扉２３が下側に位置するものとしても良い。又、それらの両扉２２，２３は上下でなく、左右、もしくてはそのほかの方向に分かれていても良いもので、その各方向のいずれ側が第１の扉であっても良い。
更に、洗浄機構４４は、前述の噴水方式に限られず、食器を水中に浸漬させて生成する水流により洗浄するものであっても良い。
【００７１】
そのほか、本発明は上記し且つ図面に示した実施例にのみ限定されるものではなく、要旨を逸脱しない範囲内で適宜変更して実施し得る。
【図面の簡単な説明】
【００７２】
【図１】本発明の基本構成を示す食器洗浄機全体の開扉状態の破断側面図
【図２】食器洗浄機全体の外観斜視図
【図３】食器洗浄機全体の縦断側面図
【図４】食器洗浄機全体の閉扉状態の破断側面図
【図５】主要部分の拡大破断側面図
【図６】異なる主要部分の拡大破断側面図
【図７】食器洗浄機全体の異なる開扉状態の破断側面図
【図８】第１参考例を示す図４相当図
【図９】第２参考例を示す食器洗浄機全体の組立て途中状態の破断側面図
【図１０】第３参考例を示す図１相当図
【図１１】第４参考例を示す図４相当図
【図１２】図１相当図
【図１３】第５参考例を示す図５相当図
【図１４】第６参考例を示す図５相当図
【図１５】開扉状態の図５相当図
【図１６】第７参考例を示す図４相当図
【図１７】図１相当図
【図１８】本発明の第１実施例を示す食器洗浄機全体の開扉途中状態の破断側面図
【図１９】主要部分の拡大側面図
【図２０】本発明の第２実施例を示す図２相当図
【図２１】図６相当図
【図２２】開扉途中状態の図６相当図
【図２３】本発明の第３実施例を示す食器洗浄機全体の開扉状態の斜視図
【図２４】本発明の第４実施例を示す図２３相当図
【図２５】従来例を示す図２相当図
【図２６】キッチンキャビネットに設置した状態の食器洗浄機全体の斜視図
【図２７】異なる従来例を示す図２相当図
【図２８】開扉状態の食器洗浄機全体の側面図
【図２９】更に異なる従来例を示す図２８相当図
【符号の説明】
【００７３】
２１は本体、２２は第１の扉、２３は第２の扉、２７は洗浄室、２８は開口部、４４は洗浄機構、５４は連動機構、５７はケーブルワイヤ（ワイヤ）、５８は捩りコイルばね（付勢手段）、８１，９２は連動機構、９４はピン（係脱可能な連結手段）、９５は切欠溝（係脱可能な連結手段）、１０１〜１０３はワイヤ取付部、１１１は連動機構、１３２はトグルばね（付勢手段）、１４１は連動機構、１５１は長孔（時間差伝動手段、係合部）、１５２はピン（時間差伝動手段、被係合部）を示す。
【図１】
2004202269.tif 000003
【図２】
2004202269.tif 000004
【図３】
2004202269.tif 000005
【図４】
2004202269.tif 000006
【図５】
2004202269.tif 000007
【図６】
2004202269.tif 000008
【図７】
2004202269.tif 000009
【図８】
2004202269.tif 000010
【図９】
2004202269.tif 000011
【図１０】
2004202269.tif 000012
【図１１】
2004202269.tif 000013
【図１２】
2004202269.tif 000014
【図１３】
2004202269.tif 000015
【図１４】
2004202269.tif 000016
【図１５】
2004202269.tif 000017
【図１６】
2004202269.tif 000018
【図１７】
2004202269.tif 000019
【図１８】
2004202269.tif 000020
【図１９】
2004202269.tif 000021
【図２０】
2004202269.tif 000022
【図２１】
2004202269.tif 000023
【図２２】
2004202269.tif 000024
【図２３】
2004202269.tif 000025
【図２４】
2004202269.tif 000026
【図２５】
2004202269.tif 000027
【図２６】
2004202269.tif 000028
【図２７】
2004202269.tif 000029
【図２８】
2004202269.tif 000030
【図２９】
2004202269.tif 000031